(57)【要約】【課題】  円形又は楕円形の炬燵に掛けたときにフィットする掛布団の提供。【解決手段】  表地、中綿及び裏地を備えてなる円形又は楕円形炬燵用の掛布団であって、炬燵の天井部の形状及び大きさに対応する形状及び大きさの中心部と、その中心部の外周の外側に位置する第一帯部と、第一帯部のさらに外側に位置する第二帯部又は巻きスカート部とを有し、第一帯部の幅は、５乃至５０ｃｍであり、第二帯部又は巻きスカート部の幅は、１０乃至７０ｃｍであり、且つ、第一帯部の幅と第二帯部又は巻きスカート部の幅の合計は４０乃至１２０ｃｍであり、第一帯部の外周の長さは、第一帯部の内周の長さの１０５乃至１５０％であり、第二帯部の外周の長さは、第二帯部の内周の長さの１０５乃至１５０％であり、巻きスカート部は縦方向に割れており且つその割れている個所において一部が互いに重なり合っていることを特徴とする円形又は楕円形炬燵用の掛布団を用いる。【選択図】  図１
2005124605.tif 000002
【特許請求の範囲】
【請求項１】
表地、中綿及び裏地を備えてなる円形又は楕円形炬燵用の掛布団であって、炬燵の天井部の形状及び大きさに対応する形状及び大きさの中心部と、その中心部の外周の外側に位置する第一帯部と、第一帯部のさらに外側に位置する第二帯部とを有し、第一帯部の幅は、５乃至５０ｃｍであり、第二帯部の幅は、１０乃至７０ｃｍであり、且つ、第一帯部の幅と第二帯部の幅の合計は４０乃至１２０ｃｍであり、第一帯部の外周の長さは、第一帯部の内周の長さの１０５乃至１５０％であり、そして、第二帯部の外周の長さは、第二帯部の内周の長さの１０５乃至１５０％であることを特徴とする円形又は楕円形炬燵用の掛布団。
【請求項２】
表地、中綿及び裏地を備えてなる円形又は楕円形炬燵用の掛布団であって、炬燵の天井部の形状及び大きさに対応する形状及び大きさの中心部と、その中心部の外周の外側に位置する第一帯部と、第一帯部のさらに外側に位置し、少なくとも一個所が縦方向に割れている巻きスカート部とを有し、第一帯部の幅は、５乃至５０ｃｍであり、巻きスカート部の幅は、１０乃至７０ｃｍであり、且つ、第一帯部の幅と巻きスカート部の幅の合計は４０乃至１２０ｃｍであり、第一帯部の外周の長さは、第一帯部の内周の長さの１０５乃至１５０％であり、そして、巻きスカート部は、縦方向に割れている個所において、その一部が互いに重なり合っていることを特徴とする円形又は楕円形炬燵用の掛布団。
【請求項３】
さらに、第一帯部の外側であって巻きスカート部が重なり合っている個所に、巻きスカート部の上に重なる膝掛け部を有する、請求項２に記載の円形又は楕円形炬燵用の掛布団。
【請求項４】
表地、中綿及び裏地の三層がキルティング加工されてなる、請求項１乃至３のいずれか１項に記載の円形又は楕円形炬燵用の掛布団。
【請求項５】
中綿の材質が、綿、絹、羊毛、ポリエステル、アクリル、ポリプロピレン、再生セルロース及びポリアミドからなる群から選択される一種以上である、請求項１乃至４のいずれか１項に記載の円形又は楕円形炬燵用の掛布団。
【発明の詳細な説明】
【技術分野】
【０００１】
本発明は、円形又は楕円形炬燵用の掛布団に関する。
【背景技術】
【０００２】
近年、住空間の多様化が進み、それに伴い、円形又は楕円形の天井部を有する炬燵が急速に市場に浸透してきている。このような傾向は、従来の角型には硬い感覚があるのに対し、円形や楕円形は優しいというイメージがあり、消費者がそのような優しさを求めているために生じているものと思われる。
【０００３】
炬燵の天井部の形状を、従来の正方形や長方形から円形や楕円形にすることは容易である。しかし、炬燵の天井部の形状が円形や楕円形となると、従来の天井部が正方形や長方形の炬燵用に作られた炬燵用掛布団ではフィットしない。そこで、円形の炬燵用掛布団が市販された。しかし、炬燵用掛布団が円形であっても、それは平面的であるため、天井部の形状が円形又は楕円形の、即ち円筒形又は楕円筒形の炬燵に掛けたときには、収まりが悪く、炬燵内の暖気を逃がしてしまう。このように、従来より市販されている円形又は楕円形の炬燵用の掛布団は、その機能を充分に果たしていない。
【０００４】
炬燵用掛布団は平面形状であるのに対し、炬燵は立体形状であることに着目した炬燵布団に関する考案が、特許文献１に開示されている。具体的には、平面的な炬燵用掛布団を立体的な炬燵にフィットさせるべく、特許文献１には、櫓炬燵の脚部において、炬燵用掛布団の一部をチャックを閉じることによって二重がさねとし、櫓炬燵の立体形状に対応する形状にすることができる炬燵布団が開示されている。
【０００５】
【特許文献１】実開平２−１３４４０４号公報
【発明の開示】
【発明が解決しようとする課題】
【０００６】
本発明の目的は、天井部の形状が円形又は楕円形の炬燵（以下、「円形又は楕円形炬燵」という）に掛けたときにフィットする円形又は楕円形炬燵用の掛布団を提供することにある。
【課題を解決するための手段】
【０００７】
本発明者らは、上記目的を達成すべく鋭意検討し、本発明を完成させた。
【０００８】
即ち、第一の発明は、表地、中綿及び裏地を備えてなる円形又は楕円形炬燵用の掛布団であって、炬燵の天井部の形状及び大きさに対応する形状及び大きさの中心部と、その中心部の外周の外側に位置する第一帯部と、第一帯部のさらに外側に位置する第二帯部とを有し、第一帯部の幅は、５乃至５０ｃｍであり、第二帯部の幅は、１０乃至７０ｃｍであり、且つ、第一帯部の幅と第二帯部の幅の合計は４０乃至１２０ｃｍであり、第一帯部の外周の長さは、第一帯部の内周の長さの１０５乃至１５０％であり、そして、第二帯部の外周の長さは、第二帯部の内周の長さの１０５乃至１５０％であることを特徴とする円形又は楕円形炬燵用の掛布団に関する。
【０００９】
また、第二の発明は、表地、中綿及び裏地を備えてなる円形又は楕円形炬燵用の掛布団であって、炬燵の天井部の形状及び大きさに対応する形状及び大きさの中心部と、その中心部の外周の外側に位置する第一帯部と、第一帯部のさらに外側に位置し、少なくとも一個所が縦方向に割れている巻きスカート部とを有し、第一帯部の幅は、５乃至５０ｃｍであり、巻きスカート部の幅は、１０乃至７０ｃｍであり、且つ、第一帯部の幅と巻きスカート部の幅の合計は４０乃至１２０ｃｍであり、第一帯部の外周の長さは、第一帯部の内周の長さの１０５乃至１５０％であり、そして、巻きスカート部は、縦方向に割れている個所において、その一部が互いに重なり合っていることを特徴とする円形又は楕円形炬燵用の掛布団に関する。
【００１０】
第二の発明の円形又は楕円形炬燵用の掛布団は、さらに、第一帯部の外側であって巻きスカート部が重なり合っている個所に、巻きスカート部の上に重なる膝掛け部を有していてもよい。
【００１１】
第一及び第二の発明の円形又は楕円形炬燵用の掛布団は、表地、中綿及び裏地の三層がキルティング加工されてなるものであってもよい。
【００１２】
中綿の材質は、綿、絹、羊毛、ポリエステル、アクリル、ポリプロピレン、再生セルロース及びポリアミドからなる群から選択される一種以上であることが好ましい。
【発明の効果】
【００１３】
本発明の掛布団を用いると、炬燵内部の暖気が逃げ難い。
【発明を実施するための最良の形態】
【００１４】
以下に、図面を参照して、本発明を具体的に説明する。
【００１５】
図１は、第一の発明の炬燵用掛布団の一例を示す模式的斜視図である。円形炬燵用の掛布団１００は、中心部１、第一帯部２及び第二帯部３から構成されている。また、図２は、第一帯部２の模式的平面図である。
【００１６】
中心部１は、円形炬燵の天井部分に載る部分である。従って、円形炬燵の天井部分の直径と同じか又はそれよりもやや大きい直径を有する円形状である。即ち、本発明において、「炬燵の天井部の形状及び大きさに対応する形状及び大きさ」とは、形状は炬燵の天井部と同じであり、その大きさは、炬燵の天井部と同じか又はやや大きいことをいう。
【００１７】
中心部１の外周の外側には、第一帯部２が縫い付けられている。第一帯部２の幅ｘは、５乃至５０ｃｍであり、好ましくは１０乃至４０ｃｍであり、さらに好ましくは１５乃至２５ｃｍである。
【００１８】
第一帯部２の内周の長さａは、中心部１の外周、即ち円周の長さと同じである。また、第一帯部２の外周の長さｂは、内周の長さａの１０５乃至１５０％であり、好ましくは１１０乃至１４０％であり、さらに好ましくは１２０乃至１３０％である。
【００１９】
図２に示すように、第一帯部２は、四つの略長方形部分ｓと四つの略台形部分ｔにより構成されている。略台形部分ｔの上底と下底との長さの差により、内周の長さａと外周の長さｂとの差が生じている。
【００２０】
また、第一帯部２の外周の外側には、第二帯部３が縫い付けられている。第二帯部３の幅ｙは、１０乃至７０ｃｍであり、好ましくは２０乃至６０ｃｍであり、さらに好ましくは３０乃至５０ｃｍである。
【００２１】
第二帯部３の内周の長さｂは、第一帯部２外周の長さと同じである。また、第二帯部３の外周の長さｃは、内周の長さｂの１０５乃至１５０％であり、好ましくは１１０乃至１４０％であり、さらに好ましくは１２０乃至１３０％である。
【００２２】
第二帯部３も、第一帯部２同様、四つの略長方形部分と四つの略台形部分により構成されており、略台形部分の上底と下底との長さの差により、内周の長さｂと外周の長さｃとの差が生じている。
【００２３】
第一帯部２の幅ｘと第二帯部３の幅ｙとの合計は、炬燵（椅子を使用するタイプも含む）の高さよりも大であることが必要であり、従って、４０乃至１２０ｃｍであり、好ましくは４５乃至１００ｃｍであり、さらに好ましくは５０乃至８０ｃｍである。
【００２４】
以上のような構成とすると、例えば天井部の直径が８０乃至１２０ｃｍの円形炬燵用の掛布団として、円形炬燵の立体形状によくフィットする。
【００２５】
図３は、第二の発明の炬燵用掛布団の一例を示す模式的斜視図である。円形炬燵用の掛布団２００は、中心部１、第一帯部２及び巻きスカート部５から構成されている。また、図４は、巻きスカート部５の模式的平面図である。
【００２６】
円形炬燵用の掛布団２００において、中心部１と第一帯部２は、円形炬燵用の掛布団１００と同様である。
【００２７】
円形炬燵用の掛布団２００は、第一帯部２の外側に、一個所が縦方向に割れている巻きスカート部５を有する。ここで、「第二帯部」と「巻きスカート部」との相違は、「第二帯部」は、浮輪のように端部がなく繋がっているが、「巻きスカート部」は、少なくとも一個所が縦方向に割れており、且つ、その縦方向に割れている個所において、一部が互いに重なり合っている点にある。即ち、図３に示すように、巻きスカート部５中の略長方形部分５−１と略長方形部分５−２には、それぞれ端部ｅ１，ｅ２があり、且つ、符号５０で示す部分において、略長方形部分５−１の一部と略長方形部分５−２の一部とが、互いに重なり合っているのである。
【００２８】
図４に示すように、巻きスカート部５は、円形炬燵用の掛布団１００における第二帯部３同様、略長方形部分と略台形部分により構成されている。但し、略長方形部分には、同じ大きさのものが三つ（５−３，５−４，５−５）と、一部が重なり合って形成された略長方形部分が前記三つの略長方形部分と同じ大きさとなるように構成された二つの小さい略長方形部分（５−１，５−２）とがある。
【００２９】
巻きスカート部５においても、略台形部分の上底と下底との長さの差により、内周の長さと外周の長さとの差が生じている。この長さの差と、縦方向の割れ目により、円形炬燵用の掛布団２００の裾部分の形状を、円形炬燵の立体形状にフィットさせている。
【００３０】
なお、巻きスカート部５の幅ｙは、１０乃至７０ｃｍであり、好ましくは２０乃至６０ｃｍであり、さらに好ましくは３０乃至５０ｃｍである。また、第一帯部の幅と巻きスカート部の幅の合計は、炬燵（椅子を使用するタイプも含む）の高さに対応し、４０乃至１２０ｃｍであり、好ましくは４５乃至１００ｃｍであり、さらに好ましくは５０乃至８０ｃｍである。
【００３１】
図４に示すように、円形炬燵用の掛布団２００では、巻きスカート部５の縦方向に割れている個所は、一個所のみである。縦方向に割れている個所の数は、炬燵の天井部の大きさによって変わり得るが、通常は、二乃至六個所、好ましくは三又は四個所である。例えば、図５に示すように、縦方向に割れている個所の数が四つであり、略長方形部分５−１１と略長方形部分５−１２とが、略長方形部分５−１３と略長方形部分５−１４とが、略長方形部分５−１５と略長方形部分５−１６とが、略長方形部分５−１７と略長方形部分５−１８とが、それぞれ一部において互いに重なり合っていてもよい。
【００３２】
図６は、第二の発明の炬燵用掛布団の他の例を示す模式的斜視図である。円形炬燵用の掛布団３００は、中心部１、第一帯部２、巻きスカート部５及び膝掛け部７から構成されている。
【００３３】
円形炬燵用の掛布団３００において、中心部１、第一帯部２及び巻きスカート部５は、円形炬燵用の掛布団２００と同様である。
【００３４】
円形炬燵用の掛布団３００は、第一帯部２の外側であって巻きスカート部５が重なり合っている個所に、巻きスカート部５の上に重なる膝掛け部７を有する。この膝掛け部７の幅ｚは、特に限定されないが、通常は巻きスカート部５の幅ｙと同じか又はそれよりも小である。
【００３５】
膝掛け部７は、巻きスカート部５が重なり合っている個所、換言すると、巻きスカート部５の縦方向に割れている個所に設けられる。膝掛け部７があると、巻きスカート部５の縦方向に割れている個所が開いても、その個所を膝掛け部７が被っているので、炬燵内部の暖気が逃げ難い。
【００３６】
上述の図示された円形炬燵用の掛布団１００，２００，３００では、第一帯部１、第二帯部２及び巻きスカート部５は、それぞれ略長方形部分と略台形部分によって構成されているが、第一帯部１と第二帯部２については、内周の長さと外周の長さとの差が所定の範囲内となりさえすれば、また、巻きスカート部５に関しては、炬燵の立体形状にフィットするような形状になりさえすれば、これ以外の構成であってもよい。
【００３７】
図１乃至図６には、円形炬燵用の掛布団を示した。楕円形炬燵用の掛布団の場合には、中心部が炬燵の天井部の形状及び大きさに対応する楕円形状及び大きさであることを除いては、円形炬燵用の掛布団と同様である。
【００３８】
本発明の炬燵用掛布団において、「表地」とは、炬燵を設置したときに見える方の面を、「裏地」とは、炬燵に対向する面をいう。「中綿」とは、表地と裏地の間にある詰め物のことである。
【００３９】
表地及び裏地は、例えば、織物、編物、不織布で作製されている。表地に関しては、その外表面がポリマー・シートで被覆されている織物、編物、不織布や、フッ素コーティング処理がなされたる織物、編物、不織布であってもよい。
【００４０】
織物、編物、不織布の材質の例として、綿、羊毛、絹、麻等の天然繊維、ポリエステル、ポリプロピレン、アクリル、ポリアミド（例えばナイロン）及び再生セルロース（例えばレーヨン）等の合成又は再生繊維が挙げられる。
【００４１】
中綿の材質は、特に限定されないが、たとえば、綿、絹、羊毛、ポリエステル、アクリル、ポリプロピレン、再生セルロース（レーヨン等）及びポリアミド（ナイロン等）からなる群から選択される一種以上を用いることが好ましい。また、中綿は、いわゆる「ワタ」ではなく、スポンジ等であってもよい。
【００４２】
また、本発明の炬燵用掛布団は、表地、中綿及び裏地の三層がキルティング加工されているものであってもよい。
【図面の簡単な説明】
【００４３】
【図１】本発明の炬燵用掛布団の一例を示す模式的斜視図である。
【図２】第一帯部の形状を示す模式的平面図である。
【図３】本発明の炬燵用掛布団の他の例を示す模式的斜視図である。
【図４】巻きスカート部の形状の一例を示す模式的平面図である。
【図５】巻きスカート部の形状の他の例を示す模式的平面図である。
【図６】本発明の炬燵用掛布団のさらに他の例を示す模式的斜視図である。
【符号の説明】
【００４４】
１  中心部
２  第一帯部
３  第二帯部
５  巻きスカート部
７  膝掛け部
１００，２００，３００  炬燵用掛布団
【図１】
2005124605.tif 000003
【図２】
2005124605.tif 000004
【図３】
2005124605.tif 000005
【図４】
2005124605.tif 000006
【図５】
2005124605.tif 000007
【図６】
2005124605.tif 000008